(57)【要約】      （修正有）【課題】水供給装置と湯供給装置を設定温度、例えば５０℃に制御できるように、制御装置をプログラムした加熱装置を備えるドラム回転式洗濯機、及びドラム回転式洗濯乾燥機を提供する。【解決手段】ドラム回転式洗濯機本体６と、本体６内に周壁に多数の透孔２を設けて、円筒形に形成された回転ドラム１と、回転ドラムを水平方向、また傾斜方向に回転軸４で軸支し、さらに弾性的に支持され、回転ドラムを内包する水槽３と、水供給装置１０と湯供給装置１２を設け、この水供給装置と湯供給装置を設定温度に制御できるようにした制御装置を有する加熱装置１７とを備えたドラム回転式洗濯機と、回転ドラム内に風を送り込むための送風装置と、送風された風を加熱する加熱装置と、送風装置まで導く送風経路と、この水供給装置と湯供給装置を設定温度に制御できるようにした制御装置を有する加熱装置１７とを備えたドラム回転式洗濯乾燥機を提供する。【選択図】図１
2007330363.tif 000002
【特許請求の範囲】
【請求項１】
ドラム回転式洗濯機本体と、該本体内に周壁に多数の透孔を設けて、円筒形に形成された回転ドラムと、該回転ドラムを水平方向、また傾斜方向に回転軸で軸支し、さらに弾性的に支持され、前記回転ドラムを内包する水槽と、水供給装置と湯供給装置を設け、この水供給装置と湯供給装置を設定温度に制御できるようにした制御装置を有する加熱装置とを備えたことを特徴とするドラム回転式洗濯機。
【請求項２】
ドラム回転式洗濯乾燥機本体と、該本体内に周壁に多数の透孔を設けて、円筒形に形成された回転ドラムと、該回転ドラムを水平方向、また傾斜方向に回転軸で軸支し、さらに弾性的に支持され、前記回転ドラムを内包する水槽と、前記回転ドラム内に風を送り込むための送風装置と、前記送風装置と回転ドラムとの間に、前記送風装置により送風された風を加熱する加熱装置と、前記回転ドラムの透孔から前記水槽と回転ドラムの間に排出された空気を前記送風装置まで導く送風経路と、水供給装置と湯供給装置を設け、この水供給装置と湯供給装置を設定温度に制御できるようにした制御装置を有する加熱装置とを備えたことを特徴とするドラム回転式洗濯乾燥機。
【発明の詳細な説明】
【技術分野】
【０００１】
本発明は、効率良く洗濯をすることができる略水平方向または斜め方向に回転中心軸を有する回転ドラム内で洗濯・すすぎ・脱水・乾燥等の各行程を逐次制御できるようにしたドラム回転式洗濯機、またはドラム回転式洗濯乾燥機に関するものである。
【背景技術】
【０００２】
従来は、周壁に多数の透孔を設けて円筒形に形成され水平方向または傾斜方向に回転軸を有する回転ドラムと、本体内に弾性的に支持され前記回転ドラムを内包する水受け槽と、前記回転ドラム内に風を送り込むための送風手段と、前記送風手段と回転ドラムとの間に位置し前記送風手段により送風された風を加熱する加熱手段と、前記回転ドラムの透孔から前記水受け槽と回転ドラムの間に排出された空気を前記送風手段まで導く送風経路と、前記送風経路内に固定された板状の熱交換部材と、前記熱交換部材に冷却水を給水する冷却水給水手段とを備え、前記送風経路には、前記熱交換部材を傾斜方向に配し、その上面および下面が位置する略Ｕ字状の熱交換経路を設けたドラム式洗濯乾燥機（例えば、特許文献１参照）が存在している。
【特許文献１】特開２００６−１３０１９８号公報（特許請求の範囲の欄、発明の詳細な説明の欄の実施の形態１、２における段落｛００１９｝〜｛００４６｝、及び図１〜図４を参照）
【発明の開示】
【発明が解決しようとする課題】
【０００３】
しかしながら、従来のような構成では、確かに十分な乾燥性能を確保するための熱交換器の大きさを本体内のスペースの中で十分な容積を確保することの配慮はなされているが、洗濯の洗浄能力及び効率、設置状況を考えると満足できるものではなかった。
例えば、従来のドラム式洗濯乾燥機には、本体内部に水を加熱する加熱装置を備えた給水機能しか備えていないもの・本体内部に加熱装置を備えていない代わりに給水と給湯機能の両方を備えているものがあり、水の供給だけができる所への設置、水と湯の両方の供給ができる所への設置の２通りが考えられるが、前記給水と給湯機能を備えている従来のドラム式洗濯乾燥機は、加熱装置を備えていないため、設置場所に給湯用の蛇口がないと、洗濯する際、給水された水、もしくは外部から注ぐお湯等しか使用できず、効率のよい洗濯を行うことができなかった。
つまり、洗濯をする上で、どちらの条件の所にでも設置でき、高温が必要な場合、水、あるいは湯どちらでも、すばやく要求温度に昇温することができるドラム式洗濯乾燥機はなかった。
【０００４】
これに対して、本発明に係るドラム回転式洗濯乾燥機は、上記従来の課題を解決するもので、水供給装置と湯供給装置を設定温度、例えば５０℃に制御できるように、制御装置をプログラムした加熱装置を備えるドラム回転式洗濯機、及びドラム回転式洗濯乾燥機を提供するものである。
【課題を解決するための手段】
【０００５】
上記課題を解決するための本発明の第１発明は、請求項１に記載された通りのドラム回転式洗濯機であり、次のようなものである。
ドラム回転式洗濯機本体と、該本体内に周壁に多数の透孔を設けて、円筒形に形成された回転ドラムと、該回転ドラムを水平方向、また傾斜方向に回転軸で軸支し、さらに弾性的に支持され、前記回転ドラムを内包する水槽と、水供給装置と湯供給装置を設け、この水供給装置と湯供給装置を設定温度に制御できるようにした制御装置を有する加熱装置とを備える構成である。
【０００６】
上記課題を解決するための本発明の第２発明は、請求項２に記載された通りのドラム回転式洗濯乾燥機であり、次のようなものである。
ドラム回転式洗濯乾燥機本体と、該本体内に周壁に多数の透孔を設けて、円筒形に形成された回転ドラムと、該回転ドラムを水平方向、また傾斜方向に回転軸で軸支し、さらに弾性的に支持され、前記回転ドラムを内包する水槽と、前記回転ドラム内に風を送り込むための送風装置と、前記送風装置と回転ドラムとの間に、前記送風装置により送風された風を加熱する加熱装置と、前記回転ドラムの透孔から前記水槽と回転ドラムの間に排出された空気を前記送風装置まで導く送風経路と、水供給装置と湯供給装置を設け、この水供給装置と湯供給装置を設定温度に制御できるようにした制御装置を有する加熱装置とを備える構成である。
【発明の効果】
【０００７】
本発明に係るドラム回転式洗濯乾燥機は、前記説明のような構成を有するので、以下に記載する効果を奏する。
（１）洗濯する上で、効率の良い洗浄水の温度を提供できるように、水供給装置と湯供給装置を設け、さらに加熱装置の温度制御ができるようにしたことで洗浄効果が格段に上がり、洗濯終了までの時間の短縮も可能にしたものである。
（２）万が一、本発明のドラム回転式洗濯乾燥機の設置場所に給水用の蛇口しかない場合でも、本体内部に温度制御の可能な加熱装置を備えているため、給水された水を好みの設定温度に昇温させて洗濯をすることができる。
【発明を実施するための最良の形態】
【０００８】
ドラム回転式洗濯機本体と、該本体内に周壁に多数の透孔を設けて、円筒形に形成された回転ドラムと、該回転ドラムを水平方向、また傾斜方向に回転軸で軸支し、さらに弾性的に支持され、前記回転ドラムを内包する水槽と、水供給装置と湯供給装置を設け、この水供給装置と湯供給装置を設定温度に制御できるようにした制御装置を有する加熱装置とを備えたドラム回転式洗濯機である。
【実施例】
【０００９】
先ず、本発明のドラム回転式洗濯機について詳細に説明する。
図１は、本発明の第１実施形態におけるドラム回転式洗濯機を示す斜視図、図２は、本発明の第２実施形態におけるドラム回転式洗濯乾燥機を示す斜視図である。
本発明の第一実施例は、図１に示すように、回転ドラム１は有底円筒形に形成し、外周部に多数の透孔２を全面に穿孔して設け、水槽３に回転自在に配設している。
回転ドラム１の回転中心に水平方向に回転軸４を設けている。
この回転軸４に水槽３の背面に取り付けたモータ（図示せず）を連結し、回転ドラム１を正転、逆転方向に回転駆動する。水槽３の正面側に設けた開口部５を蓋体（図示せず）により開閉自在に覆い、この蓋体を開くことにより衣類出入口（すなわち開口部５）を通して回転ドラム１内に洗濯物を出し入れできるようにしている。
水槽１は本体６よりバネ体やダンパー（図示せず）により揺動可能に支持されており、水槽３の下部に排水経路７の一端を接続し、排水経路７の他端を排水ポンプ８に接続して水槽３内の洗濯水を排水するようにしている。
給水弁９は給水経路１０を通して水槽３内に水を給水するものである。水槽３内には、水槽３内の水位を検知する水位検知装置（図示せず）が設けられている。
【００１０】
また、水槽３内には湯を供給できるようになっている。給湯弁１１は、給湯経路１２を通して途中で前記給水経路１０と連結して水だけ、湯だけ、水と湯を混合して水槽３内に供給できるようになっている。
さらに、水槽３内の水と湯を混合したもの、あるいは湯だけのものを設定温度まで加熱して供給できるように、温度制御装置の温度制御機能を持った加熱装置１７が設けられている。
【００１１】
次に、図２に基づいて第２実施例のドラム回転式洗濯乾燥機の構成について説明する。
図２に示すように、乾燥機能は、ヒータ（乾燥用加熱装置）１４、送風ファン（送風装置）１５、及びその加熱装置１４と送風装置１５とを内部に収容する送風経路１６を有し、送風経路１６は本体６に取り付けられている。
水槽３には水槽３内の空気を取り入れる温風取り入れ口（図示せず）が設けられている。
また、この水槽３には一端が温風取り入れ口に連通するように熱交換経路を設け、その熱交換経路の他端は送風経路１５を介して吸気端に接続されている。
前記構成からなるドラム回転式洗濯機、及びドラム回転式洗濯乾燥機は、制御装置による制御動作により、洗濯行程、すすぎ行程、脱水行程及び乾燥行程が実行される。
【００１２】
前記構成において、動作を説明する。
なお、洗濯行程から脱水行程、及び乾燥行程までの動作は従来例の動作と同じであるので、詳細な説明は省略する。
【００１３】
ただし、洗濯行程に行くまでの準備段階に特徴があるので、その点について説明する。
それは、洗濯を効率良く行うには、洗濯水の水温を高温にする方が効率よく洗濯ができる。ところが、従来の本体内部に水を加熱する加熱装置を備えた給水機能しか備えていないドラム回転式洗濯乾燥機は、単に水道水、あるいはお風呂の残り湯、または湯沸かし器の湯を使用することしか行われていなかった。
しかし、これらの洗濯水では水道水であれば通常２０℃前後、お風呂の残り湯では３０℃前後、また湯沸かし器の湯でも火傷などの危険性があるのでせいぜい４２℃前後に抑えられている。
本発明は、これを給水機能と給湯機能の両方を使用して回転ドラム１、水槽３内に入れて設定温度、例えば５０℃前後まで加熱することができるようにしたもので、設定温度を制御できる制御システムを組み込んだ加熱装置１７を本体内に設けて、洗濯水を回転ドラム水槽３内に供給できるようにしたものである。
【産業上の利用可能性】
【００１４】
本発明は、以上のように洗濯水の温度を高温に常時加熱でき、洗濯効率を上げることができるので、各種ドラム回転式洗濯機、各種ドラム回転式洗濯乾燥機に装用することができ、有用である。
【図面の簡単な説明】
【００１５】
【図１】本発明の第一実施例で、ドラム回転式洗濯機を示す概略斜視図である。
【図２】本発明の第二実施例で、ドラム回転式洗濯乾燥機を示す斜視図である。
【符号の説明】
【００１６】
１・・・・回転ドラム                          ２・・・・透孔
３・・・・水槽                                ４・・・・回転軸
５・・・・開口部                              ６・・・・本体
７・・・・排水経路                            ８・・・・排水ポンプ
９・・・・給水弁                            １０・・・・給水経路
１１・・・・給湯弁                            １２・・・・給湯経路
１３・・・・洗剤入れ                          １４・・・・乾燥用加熱装置
１５・・・・送風装置                          １６・・・・送風経路
１７・・・・加熱装置
【図１】
2007330363.tif 000003
【図２】
2007330363.tif 000004